(57)【要約】      （修正有）【課題】靴下を着用して靴を履いた状態を呈する靴下の包装構造を提供する。【解決手段】対の靴下Ａ１と、包装用台紙Ｂ１とからなる。包装用台紙は、ケント紙製カートンからなり、靴甲部の外形形状を有し、表面に、靴の一つであるスニーカーの甲部側面の図柄が描かれ，その図柄は赤色となっている（鳩目部などの輪郭線を除く部分）。靴下Ａ１は、犬の顔柄１１がウエルト部１２近傍に編み込まれたものであり、つま先を少し折り返した後、さらに長さ方向の中程で折り返してウエルト１２に重ねて折り畳まれている。折り畳まれた対の靴下を台紙の裏面に、タッチャーｔ等で止める。このとき、ウエルト部１２が靴の履口２３から丁度飛び出ているようにする。この台紙への靴下の取り付け態様は、靴下Ａ１を着用してスニーカーを履いたものに見え、従来に無かった販売態様となる。【選択図】図１
0003211754.tif 000002
【実用新案登録請求の範囲】
【請求項１】
台紙（Ｂ１、Ｂ１’、Ｂ３、Ｂ４）の表面に靴の甲部（２２、４２、６２）が描かれ、前記台紙は前記描かれた靴甲部の外形形状になっており、前記台紙の裏面に靴下（Ａ１〜Ａ４）のウエルト部（１２、３２、５２）が突出して固定され、その靴下の突出部は前記描かれた靴の履き口（２３、４３、６３）から突出して、前記靴に靴下を履いている様を呈する靴下の包装構造。
【請求項２】
上記台紙に孔（６４）が形成されて、その孔（６４）から上記台紙に固定された靴下が見えることを特徴とする請求項１に記載の靴下の包装構造。
【考案の詳細な説明】
【技術分野】
【０００１】
この考案は、靴下とその包装用台紙によって衣料の使用態様を表現するようにした靴下の包装構造に関するものである。
【背景技術】
【０００２】
靴下（ソックス）は脚部を被う衣類であり、その表面模様は編み糸の色や編み方を変化させることによって種々のものが得られる。
このような靴下において、その靴下表面に絵柄を施（形成）したり（特許文献１要約参照）、その絵柄を発光ダイオードによって照射したりして（特許文献２要約参照）、特異性を出したものがある。
一方、靴下の包装構造を変化させて販売促進を図ろうとする考えも示されている（特許文献３〜５参照）。
【０００３】
この様な状況下、出願人は、特許文献６において、台紙の表面に力士が描かれ、その力士の廻し（相撲褌）に相当する部分に、前記台紙の裏面から孔を介して靴下の一部が引き出されて前記廻し態様としたり、
台紙の表面にワイシャツの襟元部分が描かれ、そのワイシャツの襟部分の間に、靴下がネクタイ結びで取り付けられていたりする態様等の提案をした。
【先行技術文献】
【特許文献】
【０００４】
【特許文献１】特開２００２−２０９０３号公報
【特許文献２】特開２０１１−４７０７３号公報
【特許文献３】実開昭６３−２８６８６号公報
【特許文献４】実用新案登録第３１１６１１４号公報
【特許文献５】実用新案登録第３１８３８４６号公報
【特許文献６】特開２０１６−２１０４２９号公報
【考案の概要】
【考案が解決しようとする課題】
【０００５】
上記特許文献６に記載の靴下の包装構造は、展示会及び実販売において好評を得たが、さらなる、靴下の販売促進が望まれる。
【０００６】
この考案は、その要求に応えるべく、靴下とその包装用台紙によって、よりリアリティな使用態様を表現して販売促進を図ることを課題とする。
【課題を解決するための手段】
【０００７】
この考案は、上記課題を達成するために、台紙の表面に靴の甲部が描かれ、その台紙は前記描かれた靴甲部の外形形状になっており、前記台紙の裏面に靴下のウエルト部が突出して固定され、その靴下の突出部は前記描かれた靴の履き口から突出して、前記靴に靴下を履いている様を呈する靴下の包装構造としたのである。
【０００８】
この様な包装構造であると、靴下を着用して靴を履いた状態に見えるため、自分が靴下を履いた態様を想像できて販売促進につながる。
このとき、上記台紙に孔が形成されて、その孔から上記台紙に固定された靴下が見えるようにすれば、例えば、サンダルを履いた態様等とすることができる。
【考案の効果】
【０００９】
この考案は、以上のように構成して、靴下とその包装用台紙によって靴下本来の使用態様を表現したので、靴下の斬新な販売態様となって販売促進を図ることができる。
【図面の簡単な説明】
【００１０】
【図１】この考案に係る靴下の包装構造の一実施形態を示し、（ａ）は正面図、（ｂ）は裏面図
【図２】同実施形態の靴下を示し、（ａ）は正面図、（ｂ）は裏面図、（ｃ）は折り畳み途中の裏面図、（ｄ）は折り畳んだ状態の正面図、（ｅ）は同裏面図
【図３】同実施形態の台紙の正面図
【図４】同実施形態の販売態様を示す正面図
【図５】この考案に係る靴下の包装構造の他の実施形態を示し、（ａ）は正面図、（ｂ）は裏面図
【図６】同実施形態の靴下を示し、（ａ）は正面図、（ｂ）は裏面図
【図７】同実施形態の販売態様を示す正面図
【図８】この考案に係る靴下の包装構造のさらに他の実施形態を示し、（ａ）は正面図、（ｂ）は裏面図
【図９】同実施形態の靴下を示し、（ａ）は正面図、（ｂ）は裏面図
【図１０】同実施形態の台紙の正面図
【図１１】同実施形態の販売態様を示す正面図
【図１２】この考案に係る靴下の包装構造のさらに他の実施形態を示し、（ａ）は正面図、（ｂ）は裏面図
【図１３】同実施形態の台紙の正面図
【考案を実施するための形態】
【００１１】
この考案に係る靴下の包装構造の一実施形態を図１〜図４に示し、靴下Ａ１は、丸編みや平編み等の従来周知の種々の編み方で製造され、踵部（踵）を有するものと、踵の無いものがある。後者の踵の無い物は、足の大きさの制限が少ないため、ロット数を減らすことができる。この実施形態においては、踵を有する物としたが、踵の無いものも採用し得る。
【００１２】
この実施形態は、対の靴下Ａ１（総称符号「Ａ」、以下同様）と、その板状包装用台紙Ｂ１（総称符号「Ｂ」、以下同様）とからなる。対の靴下Ａ１、Ａ１は、図１、図２に示すように、それぞれ犬の顔柄１１がウエルト部１２近傍に編み込まれたものであって、対の両靴下Ａ１は左右対称のものである（踵を同一側とした場合、裏表の模様が逆となっている）。靴下Ａ１の表裏を同じ模様（図柄）としたり、対の両靴下Ａ１を別の図柄（態様）のものとしたりすることができる。
包装用台紙Ｂ１は、図１、図３に示すように、厚手のケント紙等の紙からなり、その表面２１に、靴の一つであるスニーカーの甲部側面の図柄２２が描かれ、その図柄２２の図示灰色部分は赤色となっている（鳩目部などの輪郭線を除く部分に着色、以下同様）。台紙Ｂ１は前記描かれた靴甲部（図柄２２）の外形形状になっている（靴を側面から見た外形形状となっている）。
【００１３】
靴下Ａ１は、図２（ａ）、同（ｂ）に示す状態から、同図（ｃ）に示すように、つま先部分１３を少し折り返し、図２（ｄ）、同（ｅ）に示すように、さらに長さ方向の中程で折り返して畳み、この折り畳まれた対の靴下Ａ１を犬の顔柄１１が表面側となるように重ねて、台紙Ｂ１に止める。
その止着は、折り畳まれた対の靴下Ａ１を台紙Ｂ１の裏面に宛がい、タッチャーｔ等で止める。このとき、図１（ａ）に示すように、ウエルト部１２を含むボディー部（犬の顔柄１１）が靴の履口２３から丁度飛び出ているようにする。また、踵部を甲側（同図において上側）にして、靴下Ａ１が台紙Ｂ１からできるだけ履き口２３以外からは出ない（はみ出ない）ようにする（図１（ｂ）参照）。
【００１４】
このようにして、台紙Ｂ１に対の靴下Ａ１を装着した包装構造の商品は、図４に示すように、フック付タグＧをタッチャー等で取り付け、展示棒等に吊して販売する。
この販売態様は、靴下Ａ１を着用して（履いて）スニーカー（図柄２２）を履いたものに見え、従来に無かったものとなる。
【００１５】
図５〜図７は他の実施形態を示し、この実施態様も、上記実施形態と同様に、対の靴下Ａ２と、その包装用台紙Ｂ１’とからなる。対の靴下Ａ２、Ａ２は、ペンギンの顔柄３１がウエルト部３２近傍に編み込まれたものであって、対の両靴下Ａ２は同じ態様のものである。上記と同様に、靴下Ａ２の表裏を同じ模様（図柄）としたり、対の両靴下Ａ２を別の図柄（態様）のものとしたりすることができる。
包装用台紙Ｂ１’は、上記台紙Ｂ１と同様の態様であるが、図柄２２の表面色（図示灰色部分）は例えば、赤色に代えて黄色等としている。
【００１６】
靴下Ａ２は、図２（ａ）〜同（ｅ）に示したように、同様に、つま先部分３３を少し折り返し、さらに長さ方向の中程で折り返して畳み、この折り畳まれた対の靴下Ａ２をペンギンの顔柄３１が表面側となるように重ねてタッチャーｔで台紙Ｂ１’に止める。
このとき、図５（ａ）に示すように、同様に、ウエルト部３２を含むボディー部（ペンギンの顔柄３１）が靴の履口２３から丁度飛び出ているようにする。また、同様に、踵部を甲側にして、靴下Ａ２が台紙Ｂ１’からできるだけ履き口２３以外からは出ないようにする。
【００１７】
このようにして、台紙Ｂ１’に対の靴下Ａ２を装着した包装構造の商品は、図７に示すように、フック付タグＧをタッチャー等で取り付け、展示棒等に吊して販売する。
この販売態様は、同様に、靴下Ａ２を着用してスニーカー（図柄２２）を履いたものに見え、従来に無かったものとなる。
【００１８】
図８〜図１１に他の実施形態を示し、この実施形態は、スニーカーの甲部分を上面から描いた図柄４２の厚手のケント紙等の台紙Ｂ３であり、この台紙Ｂ３は前記描かれた靴甲部（図柄４２）の履き口４３までの外形形状になっている。
靴下Ａ３は、図９（ａ）に示すように、猫の顔柄５１がウエルト部５２近傍に編み込まれ、中程からつま先部分は着色と玉模様を編み込んだものである。
この実施形態では、対の靴下Ａ３を折り畳むことなく重ねて台紙Ｂ３の裏面に、タッチャーｔ等で止める。このとき、図８（ａ）に示すように、同様に、ウエルト部５２を含むボディー部（猫の顔柄５１）が靴の履口４３から丁度飛び出ているようにする。
このようにして、台紙Ｂ３に対の靴下Ａ３を装着した包装構造の商品は、図１１に示すように、フック付タグＧをタッチャー等で取り付け、展示棒等に吊して販売する。
この台紙Ｂ３への靴下Ａ３の取り付け態様は、同様に、靴下Ａ３を着用してスニーカー（図柄４２）を履いたものに見え、従来に無かった販売態様となる。
【００１９】
上記各実施形態の台紙Ｂ１、Ｂ１’、Ｂ３は、甲部が網状や紐状となったものであるが、その網状部分に孔が存在しないため、台紙裏面の靴下Ａをみることができない。靴には、サンダル等のように、履いた状態で靴下が見えるものもあるため、そのような見える態様にすることが好ましい場合もある。このため、例えば、図１２〜図１３に示すように、台紙Ｂ４に孔６４を有するものとし、上記と同様に、その台紙Ｂ４の裏面に対の靴下Ａ３をタッチャーｔ等で止める。このとき、図１２（ａ）に示すように、同様に、ウエルト部５２を含むボディー部（猫の顔柄５１）が靴の履口６３から丁度飛び出ているようにする。
この実施形態では、図柄６２を有する台紙Ｂ４であって、孔６４を通して靴下Ａ３が見えるものとなる。この台紙Ｂ４に対の靴下Ａ３を装着した包装構造の商品は、同様に、フック付タグＧをタッチャー等で取り付け、展示棒等に吊して販売する。
【００２０】
上記各実施形態は、靴としてスニーカー等の図柄２２、４２、６２の場合であったが、紳士靴、婦人靴、子供靴等と種々の靴の図柄とし得ることは勿論である。特に、子供靴であると、子供はこの考案の包装構造を好むため、販売の促進に貢献し得る。
また、台紙Ｂを下駄の図柄とすることができる。このとき、靴下Ａは親指部分が離れた「足袋ソックス仕様」とする。この下駄の図柄も含まれることから、この考案でいう「靴」には、履物すべてを含む。甲部の図柄は、靴下Ａを履いているように見えれば、側面であったり、上面であったり、斜め上方から見た面等と甲部が少しでも見えれば良い。
靴下Ａの図柄も上記の犬、猫等に限定されず、熊等の動物顔の図柄のみならず、靴に似合う図柄であれば任意である。
このように、今回開示された実施の形態はすべての点で例示であって制限的なものではないと考えられるべきである。この考案の範囲は、実用新案登録請求の範囲によって示され、実用新案登録の範囲と均等の意味および範囲内でのすべての変更が含まれることが意図される。
【００２１】
因みに、ウエルト部１２、３２、５２の表面又は裏面を、名前を記入できる、例えば白等の淡色地とすることができる。裏面であれば、記入した名前が目立たない利点がある。
【符号の説明】
【００２２】
Ａ１〜Ａ３  靴下
Ｂ１、Ｂ１’、Ｂ３、Ｂ４  包装用台紙
Ｇ  フック付タグ
ｔ  タッチャー
１１  犬の顔柄
１２、３２、５２  靴下のウエルト部
１３、３３  靴下のつま先部
２１  台紙の表面
２２、４２、６２  靴の図柄
２３、４３、６３  靴の履き口
３１  ペンギンの顔柄
５１  猫の顔柄
６４  台紙の孔
【図１】
0003211754.tif 000003
【図２】
0003211754.tif 000004
【図３】
0003211754.tif 000005
【図４】
0003211754.tif 000006
【図５】
0003211754.tif 000007
【図６】
0003211754.tif 000008
【図７】
0003211754.tif 000009
【図８】
0003211754.tif 000010
【図９】
0003211754.tif 000011
【図１０】
0003211754.tif 000012
【図１１】
0003211754.tif 000013
【図１２】
0003211754.tif 000014
【図１３】
0003211754.tif 000015